【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
複数色のインクを吐出するインク吐出部と、
インクを収容したカートリッジを装着可能な装着部と、
前記装着部および前記インク吐出部を備えるキャリッジと、
前記キャリッジとは異なる位置に配置され、インクを貯蔵するインク貯蔵部と、
前記インク吐出部によるインクの吐出を制御する制御部と、を備え、
前記制御部は、前記装着部に対応する前記インクの吐出を遮断するための情報を取得した場合、前記インク吐出部から前記装着部に対応する前記インクの吐出を遮断する、印刷装置。
【請求項２】
前記キャリッジに取り付けられ、前記インク貯蔵部から供給されたインクを貯留するサブタンクを備え、
前記サブタンクは、前記キャリッジの走査方向において、前記キャリッジの前記装着部が配置された位置とは異なる位置に取り付けられる
請求項１記載の印刷装置。
【請求項３】
前記装着部に内蔵され、前記カートリッジから前記インク吐出部へのインクの供給を遮断する遮断部を備え、
前記制御部は、前記遮断部をインクの供給を遮断する状態とインクを供給する状態とに切り替える
請求項１または２記載の印刷装置。
【請求項４】
前記カートリッジを装着可能な複数の前記装着部を備え、
前記制御部は、複数の前記装着部のいずれか１以上について、前記装着部に対応する前記インクの吐出を遮断する
請求項１から３のいずれか１項に記載の印刷装置。
【請求項５】
前記装着部における前記カートリッジの装着状態を検出するカートリッジ検出部を備え、
前記制御部は、前記カートリッジ検出部が前記装着部にインクを収容した前記カートリッジが装着されていないことを検出した場合に、前記カートリッジが装着されていない前記装着部に対応する前記インクの吐出を遮断する
請求項１から４のいずれか１項に記載の印刷装置。
【請求項６】
前記装着部に装着される前記カートリッジに関する情報の入力を受け付ける受付部を備え、
前記制御部は、前記受付部が前記インクの吐出を遮断するための情報を受付けた場合、前記インク吐出部からの前記インクの吐出を遮断する
請求項１から５のいずれか１項に記載の印刷装置。
【請求項７】
前記インク吐出部は、前記インクを吐出するノズルと、
前記装着部から前記ノズルにインクを供給する流路を遮断する供給遮断部を備え、
前記制御部は、前記供給遮断部に前記装着部からの前記インクの供給を遮断させることにより前記インク吐出部からの前記インクの吐出を遮断する
請求項１から６のいずれか１項に記載の印刷装置。
【請求項８】
前記インク吐出部は、前記インクを吐出するノズル、及び、前記ノズルからインクを吐出させる吐出駆動部を備え、
前記制御部は、前記吐出駆動部に前記ノズルから前記インクを吐出させないことにより前記インク吐出部からの前記インクの吐出を遮断する
請求項１から６のいずれか１項に記載の印刷装置。
【請求項９】
前記装着部は印刷用インク以外の内容物を収容した代替カートリッジを装着可能であり、
前記制御部は、前記装着部に前記代替カートリッジが装着された場合に、印刷時において前記インク吐出部から前記代替カートリッジの内容物の吐出を遮断する
請求項１から８のいずれか１項に記載の印刷装置。
【請求項１０】
前記代替カートリッジに収容される内容物は前記印刷装置のメンテナンス用の液体である
請求項９記載の印刷装置。
【請求項１１】
前記インク貯蔵部に貯蔵されるインクの色はイエロー、マゼンタ、シアン、ブラックの少なくともいずれかである
請求項１から１０のいずれか１項に記載の印刷装置。
【請求項１２】
前記カートリッジに収容されるインクの色は、減法混色における基本色に該当しない色である
請求項１から１１のいずれか１項に記載の印刷装置。
【請求項１３】
前記カートリッジに収容されるインクの色は、レッド、グリーン、蛍光色、メタリック色のいずれかである
請求項１２に記載の印刷装置。
【請求項１４】
複数色のインクを吐出するインク吐出部と、インクを収容したカートリッジを装着可能な装着部と、前記装着部および前記インク吐出部を備えるキャリッジと、前記キャリッジとは異なる位置に配置され、インクを貯蔵するインク貯蔵部と、を有する印刷装置の制御方法であって、
前記装着部に対応する前記インクの吐出を遮断するための情報を取得した場合、前記インク吐出部から前記装着部に対応する前記インクの吐出を遮断する
印刷装置の制御方法。
【手続補正２】
【補正対象書類名】明細書
【補正対象項目名】０００５
【補正方法】変更
【補正の内容】
【０００５】
上記課題を達成するために、本発明は、複数色のインクを吐出するインク吐出部と、インクを収容したカートリッジを装着可能な装着部と、前記装着部および前記インク吐出部を備えるキャリッジと、前記キャリッジとは異なる位置に配置され、インクを貯蔵するインク貯蔵部と、前記インク吐出部によるインクの吐出を制御する制御部と、を備え、前記制御部は、前記装着部に対応する前記インクの吐出を遮断するための情報を取得した場合、前記インク吐出部から前記装着部に対応する前記インクの吐出を遮断する。
この構成によれば、カートリッジを装着する装着部とインク貯蔵部とを備える印刷装置が、装着部に対応するインクの吐出を遮断できる。例えば、カートリッジに収容されたインクを使用せずに印刷を行う動作等を実行できる。従って、インク貯蔵部及びカートリッジの各々の利点を活かして印刷を行うことができる。
【手続補正３】
【補正対象書類名】明細書
【補正対象項目名】００１６
【補正方法】変更
【補正の内容】
【００１６】
また、上記課題を達成するために、本発明は、複数色のインクを吐出するインク吐出部と、インクを収容したカートリッジを装着可能な装着部と、前記装着部および前記インク吐出部を備えるキャリッジと、前記キャリッジとは異なる位置に配置され、インクを貯蔵するインク貯蔵部と、を有する印刷装置の制御方法であって、前記装着部に対応する前記インクの吐出を遮断するための情報を取得した場合、前記インク吐出部から前記装着部に対応する前記インクの吐出を遮断する。
この構成によれば、カートリッジを装着する装着部とインク貯蔵部とを備える印刷装置が、装着部に対応するインクの吐出を遮断できる。例えば、カートリッジに収容されたインクを使用せずに印刷を行う動作等を実行できる。従って、インク貯蔵部及びカートリッジの各々の利点を活かして印刷を行うことができる。
【手続補正４】
【補正対象書類名】明細書
【補正対象項目名】００４１
【補正方法】変更
【補正の内容】
【００４１】
キャリッジ３０は、カートリッジ２５ａ、２５ｂが装着される装着部３７ａ、３７ｂを備える。本実施形態では、キャリッジ３０は２つのカートリッジ２５を装着可能な構成であり、２個の装着部３７を備える。各々の装着部３７は、カートリッジ２５が装着された状態で、カートリッジ２５内部のインクを印刷ヘッド３１に供給する。
【手続補正５】
【補正対象書類名】明細書
【補正対象項目名】００４３
【補正方法】変更
【補正の内容】
【００４３】
サブタンク２１ｂ、２１ｃ、２１ｄは、サブタンク２１ａと同様に、インク供給チューブ２３ｂ、２３ｃ、２３ｄによりインクタンク２２ｂ、２２ｃ、２２ｄにそれぞれ接続される。インク供給チューブ２３ｂ、２３ｃ、２３ｄを通じて、インクタンク２２ｂ、２２ｃ、２２ｄの内部に貯蔵されるインクがサブタンク２１ｂ、２１ｃ、２１ｄに輸送される。
【手続補正６】
【補正対象書類名】明細書
【補正対象項目名】００７４
【補正方法】変更
【補正の内容】
【００７４】
受信バッファー１５１は、記憶部１５０の記憶領域の一部を用いて実現される一時記憶領域であり、ホストコンピューター２から受信するコマンドやデータを一時的に記憶する。通信部１１５が受信したデータは、いったん受信バッファー１５１に記憶され、その後、記憶部１５０によって解析されて処理される。
【手続補正７】
【補正対象書類名】明細書
【補正対象項目名】０１２３
【補正方法】変更
【補正の内容】
【０１２３】
また、装着部３７ａ、３７ｂに装着されるカートリッジ２５に関する情報の入力を受け付ける受付部を備えてもよい。受付部は、例えば、入力部１１１の入力を検出する検出制御部１４４、或いは、ホストコンピューター２が送信するコマンドを検出する受信データ処理部１４２が相当する。制御部１４０は、受付部がインクの吐出を遮断するための情報を受付けた場合、印刷ヘッド３１からのインクの吐出を遮断する構成であってもよい。これにより、カートリッジ２５に関して入力される情報に基づき、装着部３７ａ、３７ｂに対応するインクの吐出を遮断できる。例えば、スイッチ等の入力操作による入力や、ホストコンピューター２からのコマンドやデータの入力に応じて、カートリッジ２５に収容されたインクを遮断できる。従って、インクタンク２２及びカートリッジ２５の各々の利点を活かして印刷を行うことができる。